(57)【要約】【課題】  カラス・風に強く、環境・交通にやさしく、ルール・マナーも身につく、折りたたみ式ゴミ箱を提供する。【解決手段】  背面枠の支柱をしっかり地中に固定し、前面枠の支柱は手前に出すだけで、地上に設置できる折りたたみ式ゴミ箱において、背面枠と前面枠を回動枠でつなぎ、さらに、背面枠と前面枠には開閉扉を設け、前面枠には、組立・折りたたみ用とってをつけ、周囲はネット張りとしたことを特徴とする折りたたみ式ゴミ箱。【選択図】  図１
2007015856.tif 000002
【特許請求の範囲】
【請求項１】
背面枠の支柱をしっかり地中に固定し、前面枠の支柱は手前に出すだけで、地上に設置できる折りたたみ式ゴミ箱において、背面枠と前面枠を回動枠でつなぎ、さらに、背面枠と前面枠には開閉扉を設け、前面枠には、組立・折りたたみ用とってをつけ、周囲はネット張りとしたことを特徴とする折りたたみ式ゴミ箱。
【発明の詳細な説明】
【技術分野】
【０００１】  本発明は、カラス・風に強く、環境・交通にやさしく、ルール・マナーも身につく、折りたたみ式ゴミ箱に関するものである。
【背景技術】
【０００２】  ゴミ収集場所において、ゴミが出ている時は、ゴミ袋が野積み状態で、乱雑であったり、カラス・風等でゴミが飛散したり、交通の支障になったり、また利用する人達のルール・マナーも、いまいちであったりと、統制が取れていなかった。
【発明の開示】
【発明が解決しようとする課題】
【０００３】  従来の問題として
（イ）ゴミが出ている時は、ゴミ袋が野積み状態で、街の美観を損ねていた。
（ロ）ゴミを、カラス・小動物に食い散らかされて困っていた。
（ハ）風が強いときは、ゴミ袋が散らかったり、道路にも飛散することがあり、交通の支障にもなっていた。
（ニ）たとえゴミ箱があっても、常時邪魔だったり、現場と合っていなかったり、大きさや設置状況が、マチマチであった。
（ホ）利用する人達のルール・マナーが悪い場合、ゴミが乱雑になったり、時間もルーズであったりした。
本発明は、これらの問題点を解決するためになされたものである。
【発明を解決しようとする手段】
【０００４】  背面枠の支柱をしっかり地中に固定し、前面枠の支柱は手前に出すだけで、地上に設置できる折りたたみ式ゴミ箱において、背面枠と前面枠を回動枠でつなぎ、さらに、背面枠と前面枠には開閉扉を設け、前面枠には、組立・折りたたみ用とってをつけ、周囲はネット張りとし、更に看板を設置したことを特徴とする折りたたみ式ゴミ箱。
【発明の効果】
【０００５】  本発明は、従来の問題を解決するための発明品であり。
今までは、ゴミを出してから収集するまでの間、
第１の問題として、ゴミが出ている時は、ゴミ袋が野積み状態で、街の美観を損ねていた、そこで解決策として、ゴミが本発明品の中に納まっているので、美観もよく、また色は、環境にやさしいグリーン系にして、目に優しく、親しみやすくなる。
第２の問題として、ゴミを、カラス・小動物に食い散らかされて困っていた、そこで解決策として、カラス避けネットを周囲に張ってあるので、カラス・小動物がゴミに近づくことが出来ない。
第３の問題として、風が強いときは、ゴミ袋が散らかったり、道路にも飛散することがあり、交通の支障にもなっていた、そこで解決策として、周囲にカラス避けネットが張ってあるため、風があっても、ゴミが飛散することがない。
第４の問題として、たとえゴミ箱があっても、常時邪魔だったり、現場と合っていなかったり、大きさや設置状況が、マチマチであった、そこで解決策として、背面枠の支柱はしっかり地中に固定してあり、前面枠を前に出すだけで、簡単に組み立て、折りたたむことが出来るので、ゴミ収集時間以外は、交通・その他の支障にならない。
第５の問題として、利用する人達のルール・マナーが悪い場合、ゴミが乱雑になったり、時間もルーズであったりした、そこで解決策として、ルール・マナーに関した看板が設置できるため、利用者のルール・マナーの向上及び整理整頓につながる。
【発明を実施するための最良の形態】
【０００６】  以下、本発明の実施の形態について説明する。
（イ）背面枠（１）の構成として、２本の背面支柱（２）とその背面支柱（２）をつなぐ横枠（３）（３ａ）（３ｂ）からなり、背面支柱（２）の外側に支軸（４）（４ａ）（４ｂ）をとりつけ、さらに背面支柱（２）の外側に折りたたみ用とめ金具（５）を取り付けておく。
（ロ）前面枠（６）の構成として、２本の前面支柱（７）とその背面支柱（７）をつなぐ横枠（３ｃ）（３ｄ）からなり、前面支柱（７）の内側に支軸（４）（４ａ）（４ｂ）をとりつけ、さらに前面支柱（７）の内側に折りたたみ用とめ金具（５ａ）を取り付けておく，また、横枠（３ｃ）（３ｄ）の中間に中柱（８）を取り付け、その中柱（８）に合わさるように開閉扉（９）を取り付け横枠（３ｃ）には、組立・折りたたみ用とって（１０）をつけ、さらに看板枠（１１）、看板（１２）をつけ、さらに前面支柱（７）の底には受皿（２０）を付けておく。
（ハ）背面枠（１）の支軸（４）（４ａ）（４ｂ）に、回動枠（１７）（１７ａ）（１７ｂ）を取り付ける。
（二）回動枠（１７）（１７ａ）（１７ｂ）の端と前面枠の支軸（４）（４ａ）（４ｂ）を取り付ける。
（ホ）折りたたみ用とめ金具（５）（５ａ）の構成として、背面支柱（２）の外側に折りたたみ用とめ金具（５）として、半円形で中に穴（２１）を開けたものを取り付け、前面支柱（７）の内側に折りたたみ用とめ金具（５ａ）として、フック（２２）と支軸（２３）からなる金具を付け、取り付け位置は、折りたたんだ状態のとき、折りたたみ用とめ金具（５）（５ａ）が合わさる位置に取り付ける、折りたたむ時は、フック（２２）を穴（２１）にいれとめる、組み立てるときは、フック（２２）を穴（２１）からはずす。
（ヘ）開閉扉（９）の構成として、横枠（３ｃ）（３ｄ）の内側に、開閉用レール（１３）（１３ａ）を取り付けネットカーテン構造にして、開閉扉（９）の先端には、開閉用とって（１４）とマグネット（１５）を取り付けておく。
（ト）看板枠（１１）・看板（１２）の構成として、アングル材を長方形に加工し、その加工したものを看板枠（１１）とし、その看板枠（１１）の底に穴を開けて置き、その穴と横枠（３ｃ）（３ｄ）を固定する、また看板枠（１１）の横にも穴をあけておき、看板（１２）を設置しネジで留める。
（チ）ネット（１６）張りの構成として、周囲は全てネット（１６）張りとしネットバンド（１８）で固定する、また、横枠（３ｂ）（３ｃ）・回動枠（１７ｂ）と地面との隙間もネット（１６）張りを行い、地面側には、重し用のくさりを（１９）を付けておく。
本発明は以上の構成になる、これを使用するときは
（イ）背面枠（１）の背面支柱（２）をしっかり地中に固定する。
（ロ）普段は折りたたんであるため、ゴミ置場管理人が、時間になったら、折りたたみ用留め金具（５）（５ａ）をはずし、前面枠の組立・折りたたみ用取っ手（１０）を手前に引き下げるように置くだけで、周囲がネット張りで、箱型のゴミ置場の組立完了である。
（ハ）組立完了後、前面枠の開閉用とって（１４）で、開閉扉（９）を開いて、ゴミを中に入れる。
（二）ゴミ収集車で中のゴミを処理する。
（ホ）ゴミの回収が完了したら、ゴミ収集車の人が、組立・折りたたみ用とって（１０）を押し上げて折りたたみ用留め金具（５）（５ａ）で留め、折りたたみ完了である。
（ヘ）看板（１２）類は、前面にあるので、折りたたんであっても、絶えず見えるので、利用者に対して、ルール・マナーの向上が図られる。
【図面の簡単な説明】
【０００７】
【図１】      本発明の全体組立斜視図
【図２】      本発明の全体折りたたみ斜視図
【図３】      本発明の前面枠詳細図
【図４】      本発明の開閉扉断面詳細図
【図５】      本発明の支軸及び回動枠を折りたたんだ状態詳細図
【図６】      本発明のネット張り詳細図
【符号の説明】
【０００８】１．    背面枠
２．    背面支柱
３．    横枠
３ａ．  横枠
３ｂ．  横枠
３ｃ．  横枠
３ｄ．  横枠
４．    支軸
４ａ．  支軸
４ｂ．  支軸
５．    とめ金具
５ａ．  とめ金具
６．    前面枠
７．    前面支柱
８．    中柱
９．    開閉扉
１０．  とって
１１．  看板枠
１２．  看板
１３．  開閉用レール
１３ａ．開閉用レール
１４．  開閉用とって
１５．  マグネット
１６．  ネット
１７．  回動枠
１７ａ．回動枠
１７ｂ．回動枠
１８．  ネットバンド
１９．  くさり
２０．  受皿
２１．  穴
２２．  フック
２３．  支軸
【図１】
2007015856.tif 000003
【図２】
2007015856.tif 000004
【図３】
2007015856.tif 000005
【図４】
2007015856.tif 000006
【図５】
2007015856.tif 000007
【図６】
2007015856.tif 000008